(57)【要約】【課題】フリーアクセスフロアが施工された後に必要に応じて、フリーアクセスフロアの床下を通る複数のケーブル同士の接触を防止する部材を新たに設けなくとも、ケーブル同士を離間させて、ケーブル同士の接触を防止することができる支持台連結ユニットを提供する。【解決手段】フリーアクセスフロア２に用いられるパネル部材８を支持する複数の支持台１２と、当該支持台１２の下端部間を連結して支持台１２間の間隔を保持する連結帯４２とを備えた支持台連結ユニット４０であって、前記連結帯４２は、複数のケーブル３２ａ，３２ｂ同士を水平方向に離間させる立設突起部４３を備えた。【効果】フリーアクセスフロアの床下を通る複数のケーブル同士の接触を防止する部材を新たに設けなくとも、ケーブル同士を離間させて、ケーブル同士の接触を防止することができる。【選択図】図１
2009035989.tif 000002
【特許請求の範囲】
【請求項１】
フリーアクセスフロアに用いられるパネル部材を支持する複数の支持台と、当該支持台の下端部間を連結して支持台間の間隔を保持する連結帯とを備えた支持台連結ユニットであって、
前記連結帯は、複数のケーブル同士を水平方向に離間させる立設突起部を備えたことを特徴とする支持台連結ユニット。
【請求項２】
前記立設突起部の上端部に枝状に設けられ、複数のケーブル同士を高さ方向に離間させるケーブル支持部材を備えたことを特徴とする請求項１に記載の支持台連結ユニット。
【発明の詳細な説明】
【技術分野】
【０００１】
本発明は、フリーアクセスフロアに用いられるパネル部材を支持する複数の支持台を連結した支持台連結ユニットに関するものである。
【背景技術】
【０００２】
図１１は、部屋の床部に敷設された従来のフリーアクセスフロア２を示す平面図である。この従来のフリーアクセスフロア２の敷設作業の途中段階においては、図１２に示すように、複数の支持台連結ユニット４を、互いに所定の間隔を空けて下地床面６上に配置する作業が行なわれる。
【０００３】
従来の支持台連結ユニット４は、フリーアクセスフロア２の床板となる４枚のパネル部材８が載置可能な、図１３に示すような、水平面における互いに直交する二方向に３行３列に並んで配置された９つの支持台１２と、これらの支持台１２の下端部間を連結して支持台間の間隔を一定に保持する支持台連結帯２２（以下、「連結帯２２」という。）とを備えて構成されている（特許文献１の図１５参照）。
【特許文献１】特許第２７７８５３８号公報
【０００４】
本願の図１４に示すように、支持台１２のそれぞれは、高さ中央部のパイプ部材１６、このパイプ部材１６の上端部に設けられるキャップ１８、及びパイプ部材１６の下端部を支持する受け台２０を備えて構成されている。支持台１２の各受け台２０には、嵌合部２４が形成されており、各嵌合部２４にはパイプ部材１６の下端部が嵌合している。また、連結帯２２は、図１３に示す水平面における前記二方向に互いに隣合う受け台２０同士を連結するように工場等において予め形成される。
【０００５】
受け台２０同士の水平面における互いに直交する二方向におけるピッチ間隔は、図１１，１２に示すパネル部材８の上記二方向におけるピッチ間隔と同じ長さになるように、図１３に示す連結帯２２の長さが設定されている。
したがって、支持台１２のピッチ間隔も、図１２に示すように、パネル部材８のピッチ間隔と同じ長さに保持されるようになっている。
【０００６】
図１５は、図１３，１４における支持台１２のキャップ１８を示す平面図である。同図に示すように、キャップ１８は、その上端面１８ａ上に開口するよう形成されて、後述するパネル部材８の折曲った側板部３０と係合可能な４本の溝部２６を有している。
【０００７】
このキャップ１８の４本の溝部２６は、これら４本の中の２本が、上端面１８ａ上の一方向に伸びるよう互いに平行に一定間隔で並んで配置され、この２本と直角に交差する他方向に、他の２本が互いに平行に一定間隔で並んで配置されている。これら４本の溝部２６は、互いに平行に並んで配置される２本の組合せ同士が、互いの長さ方向の中央部において交差している。
【０００８】
また、図１６は、図１１，１２におけるパネル部材８を示す平面図である。パネル部材８は、同図に示すように、略正方形の平面形状を有する天板部２８と、この天板部２８の四辺のそれぞれに、下地床面６側（図１６中、紙面に垂直方向の奥側）に一定高さを有するよう折曲げて形成される側板部３０とを有している。
【０００９】
このようなパネル部材８を、図１３に示す、水平面における３行３列に並んで配置された９つの支持台１２の上に、４枚水平に２行２列に並べて載置することにより、図１２に示すようなパネルユニット３１を組立てることができる。
【００１０】
このようなパネルユニット３１の各パネル部材８は、図１６に示す天板部２８の各隅部が、図１３に示す９つの支持台１２のうちの対応する各支持台１２のキャップ１８上に載置されると共に、図１６に示す各側板部３０の両端部のそれぞれが、対応するキャップ１８の図１５に示す上端面１８ａの面積の各４分の１内の、互いに直交する各２本の溝部２６に嵌合するようになっている。
【００１１】
図１２に示すように、パネルユニット３１同士の、互いに隣り合い、互いに対向して配置される支持台１２同士の中心部間が、パネル部材８のピッチ間隔とほぼ同じ長さだけ互いに離れた状態で、パネルユニット３１が下地床面６上に配置されている。
【００１２】
そして、図１２に示すように、組立て後のパネルユニット３１における、パネル部材８の外形よりも外側にはみ出した、その上にパネル部材８が配置されていないキャップ１８の上端面１８ａの領域には、互いに隣り合うパネルユニット３１同士の、キャップ１８の上端面１８ａの略中心部同士の間に渡すように、別の同じパネル部材８が後からその上端面１８ａの領域の上に載置される。
【００１３】
このことにより、図１２中のパネル部材８が配置されていない領域にもパネル部材８が配置されて、図１１に示すように、パネル部材８が配置されていない領域の無いフリーアクセスフロア２が完成するようになっている。このようなフリーアクセスフロア２のパネル部材８の下方の、下地床面６上に、図１１，１７に示すように、電線等の各種のケーブル３２を横たわらせて通すことができるようになっている。
【発明の開示】
【発明が解決しようとする課題】
【００１４】
しかしながら、上述したような従来のフリーアクセスフロア２においては、図１１，１７に示すように、パネル部材８の下方の下地床面６上にケーブル３２を配線する場合には、一般的に、フリーアクセスフロア２が施工された後に、配線が必要な場所のパネル部材８を上方に取り外して配線するようになっている。
【００１５】
このように、フリーアクセスフロア２のパネル部材８の下方の下地床面６上にケーブル３２を配線する場合には、同じ場所で同じ方向に複数のケーブル３２が配線されることがある。パネル部材８の下方に落とし込んで下地床面６上に配置したケーブル３２は、その長さ方向に引っ張って（引き摺って）配線することが多い。
【００１６】
このため、同じ場所に同時に複数のケーブル３２を配線したり、既存のケーブル３２に並行して新しいケーブル３２を配線したりする場合には、ケーブル３２同士が互いに接触したり、互いに絡まったりして、ケーブル３２を下地床面６上にスムーズに配線できないことがあった。
【００１７】
また、例えば弱電のケーブル３２と強電のケーブル３２を同じ場所に配線する場合などのように、種類が異なるケーブル３２同士間の接触防止が必要な場合には、それらの互いの間に別部材を設けなければならないという問題があった。
【００１８】
そこで本発明は、上記問題点に鑑みて、フリーアクセスフロアが施工された後に必要に応じて、フリーアクセスフロアの床下を通る複数のケーブル同士の接触を防止するための部材を新たに設けなくとも、ケーブル同士を離間させて、ケーブル同士の接触を防止することができる支持台連結ユニットを提供することを課題とするものである。
【課題を解決するための手段】
【００１９】
上記課題を解決するために本発明は、
フリーアクセスフロアに用いられるパネル部材を支持する複数の支持台と、当該支持台の下端部間を連結して支持台間の間隔を保持する連結帯とを備えた支持台連結ユニットであって、
前記連結帯は、複数のケーブル同士を水平方向に離間させる立設突起部を備えたことを特徴とするものである。
【００２０】
また上記本発明は、前記立設突起部の上端部に枝状に設けられ、複数のケーブル同士を高さ方向に離間させるケーブル支持部材を備えたことを特徴とするものである。
【発明の効果】
【００２１】
このような本発明の支持台連結ユニットによれば、
フリーアクセスフロアに用いられるパネル部材を支持する複数の支持台と、当該支持台の下端部間を連結して支持台間の間隔を保持する連結帯とを備えた支持台連結ユニットであって、
前記連結帯は、複数のケーブル同士を水平方向に離間させる立設突起部を備えたことにより、
フリーアクセスフロアが施工された後に必要に応じて、フリーアクセスフロアの床下を通る複数のケーブル同士の接触を防止するための部材を新たに設けなくとも、ケーブル同士を離間させて、ケーブル同士の接触を防止することができる。
【００２２】
また、上記本発明は、前記立設突起部の上端部に枝状に設けられ、複数のケーブル同士を高さ方向に離間させるケーブル支持部材を備えたことにより、
立設突起部がフリーアクセスフロアの床下を通る複数のケーブル同士を水平方向に離間させることができるだけでなく、それに加えて、ケーブル支持部材が複数のケーブル同士を高さ方向にも離間させることができるので、複数のケーブル同士の接触を水平方向及び高さ方向の両方向に離間させて、確実に複数のケーブル同士の接触を防止することができる。
【発明を実施するための最良の形態】
【００２３】
以下、本発明に係る支持台連結ユニットを実施するための最良の形態について、図面に基づいて具体的に説明する。
図１から図５は、本発明の第１の実施の形態に係る支持台連結ユニット４０について説明するために参照する図である。従来と同様の部分には同じ符号を用いて説明し、従来と同様の構成についての重複する説明はできるだけ省略するものとする。
【００２４】
図１，２は、本実施の形態に係る支持台連結ユニット４０を示す平面図及び側面図である。図１に示すように、支持台連結ユニット４０は、水平面において互いに直交する二方向に３行３列に並んで配置された９つの支持台１２を有すると共に、図１３，１４に示す前記従来の支持台連結ユニット４の支持台連結帯２２とは異なる支持台連結帯４２（以下、「連結帯４２」という。）を有している。
【００２５】
支持台連結ユニット４０の各連結帯４２は、その両端の支持台１２間の長さ方向中央部に、図３，４に示すような、連結帯４２の長さ方向と垂直方向に立設する、板状の立設突起部４３が設けられている。なお、この立設突起部４３には板状の形状が用いられているが、板状に限定する必要は無く、立設突起部４３にはどのような形状を用いてもよい。
図３は、立設突起部４３を正面から見た連結帯４２の断面図であり、図４は、立設突起部４３を側面から見た連結帯４２の側面図である。
【００２６】
このような本実施の形態においては、図１に示すように、フリーアクセスフロアの床下を通る各３本のケーブル３２ａ，３２ｂが、支持台連結ユニット４０の連結帯４２長さ方向と交差するように配線された場合には、図５に示すように、連結帯４２は立設突起部４３を備えているので、複数のケーブル３２ａ，３２ｂ同士を、立設突起部４３により水平方向に離間させることができるようになっている。
【００２７】
このため、本実施の形態に係る支持台連結ユニット４０によれば、フリーアクセスフロア２が施工された後に必要に応じて、フリーアクセスフロア２の床下を通る複数のケーブル３２ａ，３２ｂ同士の接触を防止するための部材を新たに設けなくとも、ケーブル３２ａ，３２ｂ同士を離間させてケーブル同士の接触を防止することができる。
【００２８】
図６から図１０は、本発明の第２の実施の形態に係る支持台連結ユニット５０について説明するために参照する図である。
図６，７は、本実施の形態に係る支持台連結ユニット５０を示す平面図及び側面図である。同図に示すように、支持台連結ユニット５０は、水平面において互いに直交する二方向に３行３列に並んで配置された９つの支持台１２を有すると共に、前記第１の実施の形態に係る支持台連結ユニット４０の支持台連結帯４２とは異なる支持台連結帯５２（以下、「連結帯５２」という。）を有している。
【００２９】
各連結帯５２は、図７，９に示すように、前記第１の実施の形態に係る支持台連結ユニット４０の支持台連結帯４２の立設突起部４３と同様の立設突起部５３を有すると共に、この立設突起部５３の上端部の両側に、連結帯５２と平行に伸びる２つのケーブル支持部材５５が設けられている。
【００３０】
図８は、ケーブル支持部材５５を正面から見た連結帯５２の断面図であり、図９は、ケーブル支持部材５５を側面から見た連結帯５２の側面図である。
ケーブル支持部材５５は、図８に示すようにその厚さと幅を有すると共に、図９に示すようにその長さを有する板状に形成されている。なお、このケーブル支持部材５５には板状の形状が用いられているが、板状に限定する必要は無く、ケーブル支持部材５５にはどのような形状を用いてもよい。
【００３１】
このため、本実施の形態に係る支持台連結ユニット５０によれば、立設突起部５３の上端部にケーブル支持部材５５を備えたことにより、立設突起部５３が、フリーアクセスフロア２の床下を通る複数のケーブル３２ａと３２ｂとの間、及びケーブル３２ｃと３２ｄとの間を水平方向に離間させることができるだけでなく、それに加えて、ケーブル支持部材５５が、複数のケーブルケーブル３２ａ，３２ｂとケーブル３２ｃと３２ｄとの間を高さ方向にも離間させることができるので、複数のケーブル同士の接触を水平方向に加えて高さ方向にも離間させて、確実に複数のケーブル同士の接触を防止することができる。
【００３２】
したがって、同じ場所に複数のケーブルを配線する場合や、配線済みのケーブルがある場所にさらに追加して配線する場合には、複数のケーブル３２ａ，３２ｂ同士、さらにはケーブル３２ｃ，３２ｄ同士が互いに絡み合ったり、一方の配線済みのケーブルに他方のケーブルが接触してスムーズに他方のケーブルを配線できなかったり、複数のケーブルの一方が他方のケーブルに電気的に悪影響を及ぼしたりするようなことを、防止することができる。
【００３３】
なお、前記第２の実施の形態においては、図７，９に示すように、ケーブル支持部材５５として水平方向に伸びた棒状の部材を用いたが、そのようなケーブル支持部材５５の代わりに、立設突起部５３の上端部の両側から、先端部が斜め上方に伸びて、立設突起部５３と共にほぼＹの字を形成するようなケーブル支持部材を２本設けるようにしてもよい。  このことによっても、図１０と同様の場合に、ケーブル３２ａ，３２ｂより高さ方向に上方のケーブル３２ｃ，３２ｄが、上記先端部が斜め上方に伸びた２本のケーブル支持部材から容易に落下しないようにすることができる。
【００３４】
或は、前記第２の実施の形態におけるケーブル支持部材５５の先端部に、上方に立ち上がる立設部を設け、図１０におけるケーブル支持部材５５の上のケーブル３２ｃ，３２ｄがそのケーブル支持部材５５の上から容易に落下しないようにすることができる。
【図面の簡単な説明】
【００３５】
【図１】本発明の第１の実施の形態に係る支持台連結ユニット４０を示す平面図である。
【図２】図１に示す支持台連結ユニット４０のＡ−Ａ線矢視側面図である。
【図３】図２に示す立設突起部４３を正面から見た連結帯４２の断面図である。
【図４】図３に示す立設突起部４３を側面から見た連結帯４２の側面図である。
【図５】図１に示す支持台連結ユニット４０の連結帯４２の長さ方向と交差するケーブル３２ａ，３２ｂがパネル部材８の下方に配線された状態を示すＢ−Ｂ線矢視側面図である。
【図６】本発明の第２の実施の形態に係る支持台連結ユニット５０を示す平面図である。
【図７】図６に示す支持台連結ユニット５０のＡ−Ａ線矢視側面図である。
【図８】図７に示すケーブル支持部材５５を正面から見た連結帯５２の断面図である。
【図９】図８に示すケーブル支持部材５５を側面から見た連結帯５２の側面図である。
【図１０】図６に示す支持台連結ユニット５０の連結帯５２の長さ方向と交差するケーブル３２ａ，３２ｂが連結帯５２の上に配線されると共に、ケーブル３２ｃ，３２ｄがケーブル支持部材５５の上に配線された状態を示す側面図である。
【図１１】従来のフリーアクセスフロア２を示す図であって、このフリーアクセスフロア２を敷設した部屋内の領域を示す平面図である。
【図１２】図１１に示す従来のフリーアクセスフロア２の敷設作業の途中段階を示すパネルユニット３１の平面図である。
【図１３】図１２中の支持台連結ユニット４だけを取り出して示すその平面図である。
【図１４】図１３における支持台連結ユニット４のＢ−Ｂ線矢視側面図である。
【図１５】図１３中のキャップ１８だけを取り出して示すその平面図である。
【図１６】図１２中のパネル部材８だけを取り出して示すその平面図である。
【図１７】図１１中の従来のフリーアクセスフロア２のパネル部材８の下方の下地床面６上を通るケーブル３２を示すＡ−Ａ線矢視側面図である。
【符号の説明】
【００３６】
２  フリーアクセスフロア
３  壁
４  支持台連結ユニット
６  下地床面
８  パネル部材
１２  支持台
１６  パイプ部材
１８  キャップ
１８ａ  上端面
２０  受け台
２２  支持台連結帯
２４  嵌合部
２６  溝部
２８  天板部
３０  側板部
３１  パネルユニット
３２，３２ａ，３２ｂ  ケーブル
４０  支持台連結ユニット
４２  支持台連結帯
４３  立設突起部
５０  支持台連結ユニット
５２  支持台連結帯
５３  立設突起部
５５  ケーブル支持部材
【図１】
2009035989.tif 000003
【図２】
2009035989.tif 000004
【図３】
2009035989.tif 000005
【図４】
2009035989.tif 000006
【図５】
2009035989.tif 000007
【図６】
2009035989.tif 000008
【図７】
2009035989.tif 000009
【図８】
2009035989.tif 000010
【図９】
2009035989.tif 000011
【図１０】
2009035989.tif 000012
【図１１】
2009035989.tif 000013
【図１２】
2009035989.tif 000014
【図１３】
2009035989.tif 000015
【図１４】
2009035989.tif 000016
【図１５】
2009035989.tif 000017
【図１６】
2009035989.tif 000018
【図１７】
2009035989.tif 000019